(57)【特許請求の範囲】
【請求項１】
撮像画像を表示する表示手段と、
当該撮像装置の傾きを検出する傾き検出手段と、
撮像画面のアスペクト比を切り換えるアスペクト切換手段と、
前記傾き検出手段により検出された傾きに応じたガイド表示を前記表示手段に表示するよう制御する表示制御手段と、
前記ガイド表示の表示及び非表示を切り換える表示切換手段と、
撮像画面のアスペクト比の横の長さの比率が大きい場合と小さい場合とでは、大きい場合の方が前記ガイド表示が表示されやすいように、前記表示切換手段を制御する制御手段とを備えたことを特徴とする撮像装置。
【請求項２】
前記表示切換手段は、前記傾き検出手段により検出された傾きが所定値以上の場合に前記ガイド表示を表示するよう切り換え、前記傾きが所定値未満の場合に前記ガイド表示を非表示にするよう切り換えることを特徴とする請求項１に記載の撮像装置。
【請求項３】
前記制御手段は、前記アスペクト切換手段によって設定されたアスペクト比の横の長さの比率が、大きい場合と小さい場合とでは、大きい場合の方が前記所定値が小さくなるように該所定値を設定することを特徴とする請求項２に記載の撮像装置。
【請求項４】
前記ガイド表示を表示する場合、前記表示制御手段は、前記アスペクト切換手段によって設定されたアスペクト比の横の長さの比率が大きい場合と小さい場合とでは、大きい場合の方が前記傾き検出手段にて検出された傾きに対する前記ガイド表示の表示角度を大きく表示するよう制御することを特徴とする請求項１乃至３のいずれか１項に記載の撮像装置。
【請求項５】
撮像画像を表示する表示手段と、
当該撮像装置の傾きを検出する傾き検出手段と、
撮像画面のアスペクト比を切り換えるアスペクト切換手段と、
前記傾き検出手段により検出された傾きが所定値以上の場合に、該傾き検出手段により検出された傾きに応じたガイド表示を前記表示手段に表示するよう制御する表示制御手段とを有し、
前記ガイド表示を表示する場合、前記表示制御手段は、前記アスペクト切換手段によって設定されたアスペクト比の横の長さの比率が大きい場合と小さい場合とでは、大きい場合の方が前記傾き検出手段にて検出された傾きに対する前記ガイド表示の表示角度を大きく表示するよう制御することを特徴とする撮像装置。
【請求項６】
撮像画像を表示する表示手段と、
当該撮像装置の傾きを検出する傾き検出手段と、
撮像画面のアスペクト比を切り換えるアスペクト切換手段と、
前記傾き検出手段により検出された傾きが所定値以上の場合に、該傾き検出手段により検出された傾きに応じたガイド表示を前記表示手段に表示するよう制御する表示制御手段と、
前記アスペクト切換手段によって設定されたアスペクト比の横の長さの比率が大きい場合と小さい場合とでは、大きい場合の方が前記傾き検出手段の感度が高くなるように該感度を設定する感度設定手段とを備えることを特徴とする撮像装置。
【発明の詳細な説明】
【技術分野】
【０００１】
本発明は、水平を保持して撮像を可能にするための傾きガイド表示を撮像画面に重畳して表示可能な撮像装置に関するものである。
【背景技術】
【０００２】
従来、ビデオカメラ等にて撮影された映像を見やすいものとするために、カメラの水平を維持する技術が提案されている。例えば特許文献１によれば、水平検出器によりカメラの傾きを検出し、検出された傾きに相応する情報を表示画面上に表示することによってカメラが傾いていることを撮影者に知らしめ、注意を促すことが開示されている。また、傾きの表示については、例えば特許文献２で示されるように、水平基準線とカメラの傾きの両方を色分けして表示し、一致したら一本の線として表示する、等の技術が提案されている。
【特許文献１】特開昭６４−４０８２４号公報
【特許文献２】特開２００２−２７１６５４号公報
【発明の開示】
【発明が解決しようとする課題】
【０００３】
最近、テレビのワイド化、ＨＤ化により、１６：９モードなど、アスペクト比が横長である映像機器が増えてきており、ビデオカメラとしても１６：９対応を謳ったものが増加してきている。ところが、１６：９など、アスペクト比がより横長となった場合、４：３での撮影時に対して傾きがより目立つようになる。そのため、１６：９を選択時は、従来の水平表示よりもより微妙な傾きを検出し、また、撮影者によりその傾きがわかりやすい表示を行うことが望まれている。
【０００４】
（発明の目的）
本発明の目的は、傾きが目立ちやすい横長の画面であっても、使用者に撮像装置の傾きが目立たないように促すことができ、見苦しくない画像とすることができる撮像装置を提供しようとするものである。
【課題を解決するための手段】
【０００５】
上記目的を達成するために、本発明は、撮像画像を表示する表示手段と、当該撮像装置の傾きを検出する傾き検出手段と、 撮像画面のアスペクト比を切り換えるアスペクト切換手段と、前記傾き検出手段により検出された傾きに応じたガイド表示を前記表示手段に表示するよう制御する表示制御手段と、前記ガイド表示の表示及び非表示を切り換える表示切換手段と、撮像画面のアスペクト比の横の長さの比率が大きい場合と小さい場合とでは、大きい場合の方が前記ガイド表示が表示されやすいように、前記表示切換手段を制御する制御手段とを備えた撮像装置とするものである。
【０００６】
上記目的を達成するために、本発明は、撮像画像を表示する表示手段と、当該撮像装置の傾きを検出する傾き検出手段と、撮像画面のアスペクト比を切り換えるアスペクト切換手段と、前記傾き検出手段により検出された傾きが所定値以上の場合に、該傾き検出手段により検出された傾きに応じたガイド表示を前記表示手段に表示するよう制御する表示制御手段とを有し、前記ガイド表示を表示する場合、前記表示制御手段が、前記アスペクト切換手段によって設定されたアスペクト比の横の長さの比率が大きい場合と小さい場合とでは、大きい場合の方が前記傾き検出手段にて検出された傾きに対する前記ガイド表示の表示角度を大きく表示するよう制御する撮像装置とするものである。
【０００７】
同じく上記目的を達成するために、本発明は、撮像画像を表示する表示手段と、当該撮像装置の傾きを検出する傾き検出手段と、撮像画面のアスペクト比を切り換えるアスペクト切換手段と、前記傾き検出手段により検出された傾きが所定値以上の場合に、該傾き検出手段により検出された傾きに応じたガイド表示を前記表示手段に表示するよう制御する表示制御手段と、前記アスペクト切換手段によって設定されたアスペクト比の横の長さの比率が大きい場合と小さい場合とでは、大きい場合の方が前記傾き検出手段の感度が高くなるように該感度を設定する感度設定手段とを備える撮像装置とするものである。
【発明の効果】
【０００８】
本発明によれば、傾きが目立ちやすい横長の画面であっても、使用者に撮像装置の傾きが目立たないように促すことができ、見苦しくない画像とすることができる撮像装置を提供できるものである。
【発明を実施するための最良の形態】
【０００９】
本発明を実施するための最良の形態は、以下の実施例１ないし実施例４に示す通りである。
【実施例１】
【００１０】
図１は本発明の実施例１に係わるビデオカメラの回路構成を示すブロック図である。図１において、１０１は被写体を撮影するためのレンズユニット、１０２はレンズユニット１０１により結像された被写体像を光電変換するＣＣＤ（電荷結像素子）である。１０３はＣＣＤ１０２で得られた信号に所定の処理を施してアナログ撮像信号を生成するアナログ信号処理部である。例えばＣＤＳ（co-related double sampling  相関二重サンプリング）回路、ＡＧＣ（Automatic Gain Control）回路等から構成されている。１０４はカメラ信号処理部であり、内蔵しているＡ／Ｄ変換器によりアナログ撮像信号をデジタル信号に変換し、ガンマ補正、ホワイトバランス等、所定の信号処理をした後に、最終的な出力映像信号を生成する。
【００１１】
１０７はビデオカメラ本体の傾きを検出するための傾きセンサであり、本実施例１においては加速度センサを使用している。１０８は傾きセンサ１０７の出力（センサ出力）を増幅するアンプである。１０９はカメラ制御マイコンであり、表示制御部１１０およびカメラ制御部１１１にて構成される。カメラ制御部１１１では、ＣＣＤ１０２、アナログ信号処理部１０３、カメラ信号処理部１０４の駆動制御を行う。表示制御部１１０では、アンプ１０８の出力を取り込み、検出された傾き情報から傾きに応じた表示を行うか否かを決定し、表示制御情報をガイド表示設定部１１２に出力する。ガイド表示設定部１１２では、傾きに相応したガイド表示の情報を表示処理回路１０５に出力する。表示処理回路１０５では、出力映像信号に上記ガイド表示情報を重畳して、ビューファインダーやパネル等の表示装置１０６に表示させる。
【００１２】
１１３はアスペクト比の切換スイッチであり、撮影者がこの切換スイッチ１１３を切り換えることにより、アスペクト比を４：３と１６：９のいずれに切り換えることができる。切り換え時は、カメラ制御部１１１により、各処理部の設定が行われる。
【００１３】
図２は、カメラ制御マイコン１０９内の表示制御部１１０での動作を示すフローチャートである。
【００１４】
まず、ステップＳ２０１にて、アンプ１０８を介して傾きセンサ１０７から傾き情報を取り込む。そして、次のステップＳ２０２にて、現在の撮影画角（アスペクト比）が４：３か１６：９かを切換スイッチ１１３の状態より判定する。この結果、１６：９でない場合はステップＳ２０３へ進む。そして、ステップＳ２０３では、現在のビデオカメラの傾きが所定値α以上かどうかの判定を行う。傾きが所定値α以上であればステップＳ２０４へ進み、ガイド表示をＯＮとする。一方、傾きが所定値α未満である場合はステップＳ２０７へ進み、ガイド表示をＯＦＦとする。
【００１５】
上記ステップＳ２０２にて撮影画角が１６：９であった場合はステップＳ２０６へ進み、ビデオカメラの傾きが所定値β以上かどうかの判定を行う。所定値β以上の場合は上記ステップＳ２０４へ進んでガイド表示をＯＮとし、傾きがβ未満の場合はステップＳ２０７へ進み、傾き表示をＯＦＦとする。
【００１６】
ここで、所定値αとβの関係は
α＞β
となっており、ガイド表示がＯＮとなる傾きが、４：３に比べて１６：９の方が小さく設定されている。そのため、傾きが目立つ１６：９において、より小さな傾きに対してガイド表示がなされることになる。
【００１７】
図３は、ビデオカメラの傾きと傾きセンサ１０７の出力の関係を示す図である。なお、図３において、１００はビデオカメラ、１０６は液晶パネルであるところの表示装置、１０７は傾きセンサ（加速度センサ）である。
【００１８】
図１のアンプ１０８のゲイン設定を適切にすることにより、傾きセンサ１０７のセンサ出力は、以下のような電圧範囲をとるように設定できる。
【００１９】
図３（ｂ−１）はビデオカメラ１００が正位置にある場合を示しており、センサ出力は図３（ｂ−２）のように電源電圧の半分となる。これに対し、図３（ａ−１）のようにビデオカメラ１００を図中９０度左回りに傾けると、センサ出力は図３（ａ−２）のように電源電圧と同じとなる。逆に、図３（ｃ−１）のように図中９０度右回りに傾けると、センサ出力は図３（ｃ−２）のようにＧＮＤレベルとなる。
【００２０】
図３（ａ−１）と図３（ｂ−１）、または、図３（ｂ−１）と図３（ｃ−１）の中間の傾きにおいては、センサ出力は傾きに対してリニアに変化する。そのため、図３（ｂ−２）で示される正位置での出力に対して所定の電圧スレッシュを設けておけば、所定の角度以上となったかどうかの判定ができる。つまり、１６：９と４：３とで、このセンサ出力の電圧スレッシュを切り換えることにより、傾きガイド表示をＯＮとする角度の設定ができるのである。
【００２１】
なお、傾きセンサ１０７の向きを逆にすると、ビデオカメラ１００を傾けた場合のセンサ出力の電圧は、図３と逆になる。
【００２２】
図４は、液晶パネル、ビューファインダー等の表示装置１０６に傾きガイド表示が表示される範囲を示している。上記のように表示を行うためのセンサ出力の電圧スレッシュを１６：９と４：３とで切り換えることで、図４に示すように、アスペクト比が４：３の時に比べて、１６：９時での傾きガイド表示をＯＦＦとする領域を狭くすることができ、１６：９時に、ビデオカメラの傾きがより早くわかるようにすることができる。
【００２３】
さて、図５は、アスペクト比が１６：９と４：３とで傾きガイド表示を行うセンサ出力の電圧スレッシュを決定する一例を示している。
【００２４】
図５において、ガイド表示Ａ−Ｂを１６：９時の水平基準、ガイド表示Ａ’−Ｂ’を４：３時の水平基準としたとき、ビデオカメラの傾きのよって生じたＡ点とＢ点の高さ方向の差分と、Ａ’点とＢ’点の高さ方向の差分が、同じ幅Ｘとなった角度を「１６：９」，「４：３」それぞれの傾き角度とし、傾きに相応するガイド表示をＯＮとするように設定する。このような設定により、１６：９と４：３での表示の傾きの差は目立たなくなる。また、１６：９時は、ビデオカメラの傾きが４：３時に比べて小さい傾きで表示を行うことができるようになる。そのため、撮影者に、ビデオカメラの傾きをすぐに知らせることが可能となる。
【００２５】
上記実施例１によれば、表示装置１０６に、ビデオカメラ１００の傾きに関するガイド表示を行う場合、アスペクト比が１６：９の場合と４：３の場合とで、ガイド表示を行う傾きを変更するようにしている。詳しくは、傾きの目立ちやすい１６：９での撮影時にガイド表示を行う傾きを小さく設定している。このことにより、撮影者にビデオカメラの傾きをいち早く知らせることができると共に、水平の精度を向上させることが可能となる。
【実施例２】
【００２６】
次に、本発明の実施例２について説明する。本発明の実施例２におけるビデオカメラの回路構成は上記実施例１と同様であり、カメラ制御マイコン１０９内の動作のみが異なる。
【００２７】
図６は、カメラ制御マイコン１０９内の表示制御部１１０での動作を示すフローチャートである。まず、ステップＳ６０１にて、アンプ１０８を介して傾きセンサ１０７から傾き情報を取り込む。そして、次のステップＳ６０２にて、検出された傾きが所定値α以上かどうかの判定を行う。この結果、傾きが所定値α以上の場合はステップＳ６０３へ進み、ガイド表示ＯＮとするための設定を行う。そして、次のステップＳ６０４にて、現在のアスペクト比が１６：９かどうかの判定を行い、１６：９の場合はステップＳ６０５へ進み、表示角度を誇張設定とする。これは、表示の傾きを、実際の傾きよりも誇張するための動作である。１６：９でない場合はステップＳ６０４からステップＳ６０６へ進み、表示角度を通常設定とする。その後はいずれの場合もステップＳ６０８へ進み、ガイド表示設定部１１２に対して表示情報の指示を行い、表示装置１０６にガイド表示を表示させる。
【００２８】
ここで、図７は、本発明の実施例２において感度変更を行った場合の傾きに相応するガイド表示（傾きガイド表示）を示す図である。この図からもわかるように、水平位置に対するビデオカメラの傾きが同じであっても、１６：９が選択された場合は、４：３が選択された場合に比べて、傾きガイド表示が誇張されて表示されていることがわかる。
【００２９】
１６：９時に傾きガイド表示が誇張されて為されることにより、ビデオカメラの傾きがより明確となり、撮影者がそのことを認識しやすくなる。また、１６：９時に表示角度を大きくすることにより、微小な動きに対する傾きの変化がわかりやすくなるため、水平状態をより合わせやすくなる。
【００３０】
図６に戻り、ビデオカメラ１００が水平状態になると、図６のステップＳ６０２にて傾きが所定値α未満となり、ステップＳ６０７へ進む。そして、ステップＳ６０７にて、ガイド表示ＯＦＦの設定を行う。続くステップＳ６０８では、ガイド表示設定部１１２に表示ＯＦＦの指示を行い、表示装置１０６上のガイド表示がＯＦＦとなる。
【００３１】
以上の実施例２によれば、アスペクト比が１６：９となっている時は、４：３時に比べて表示角度を変更して大きくしている。このことにより、撮影結果の傾きが目立つ１６：９時で撮影しようとした時にビデオカメラの傾きをよりわかりやすく撮影者に知らせることができる。
【００３２】
さらに、微妙な傾きに対するビデオカメラの移動量がはっきりとわかるようになる為、水平状態を容易にあわせることができるようになるのである。
【実施例３】
【００３３】
図８は本発明の実施例３に係わる主要部の回路構成を示すブロック図である。図８において、図１と同じ機能のものは同じ符号を付し、その説明は省略する。
【００３４】
図８において、７０１は傾きセンサ１０７のゲインを変更可能なゲイン可変アンプである。アスペクト比切り換え用である切換スイッチ１１３による設定状況に応じて、カメラ制御マイコン７０２内に設けられたゲイン制御部７０３により、ゲイン可変アンプ７０１が制御されてゲイン設定が変更可能になっている。
【００３５】
図９は、カメラ制御マイコン７０２内のガイド表示制御に関する動作を示すフローチャートである。
【００３６】
まず、ステップＳ８０１にて、傾きセンサ１０７から傾き情報を取り込む。そして、次のステップＳ８０２にて、アスペクト比が１６：９かどうかの判定を行う。アスペクト比が１６：９である場合はステップＳ８０３へ進み、センサ感度が上がっているかどうかを確認する。つまり、ゲイン可変アンプ７０１のゲインが高く設定されているかどうかを判定する。この結果、ゲインが上がっていない場合はステップＳ８０８へ進み、ゲインを上げる（センサ感度を上げる）設定を行う。
【００３７】
ここで、図１０は上記ゲイン可変アンプ７０１の詳細な回路構成を示す図である。このゲイン可変アンプ７０１は、アンプ７０５、抵抗７０６、ゲイン切換スイッチ７０４により構成される。カメラ制御マイコン７０２からのゲイン切換スイッチ７０４の切り換え信号により、アンプ７０５の入力抵抗が並列に接続され、アンプゲインが上がるようになっている。このゲイン変更は、アスペクト比が１６：９である場合のガイド表示の傾きを、実際の傾きよりも誇張するために行われる。
【００３８】
図９に戻り、ステップＳ８０３にてセンサゲインが上がっていると判定した場合はステップＳ８０４へ進み、検出された傾き情報が所定値α以上かどうかの判定を行う。傾きが所定値α以上の場合はステップＳ８０５へ進み、ガイド表示ＯＮとするための設定を行う。そして、次のステップＳ８０６にて、ガイド表示設定部１１２に対して表示情報の指示を行い、表示装置１０６にガイド表示を表示させる。
【００３９】
上記ステップＳ８０２にてアスペクト比が４：３であると判定した場合はステップＳ８０９へ進み、センサ感度が通常設定となっているかを確認し、通常設定でない場合、すなわち１６：９時の設定の場合はステップＳ８１０へ進み、センサ感度を通常設定に変更する。これは、上記ゲイン可変アンプ７０１内のゲイン切換スイッチ７０４をＯＦＦとする動作である。
【００４０】
上記ステップＳ８０９にてセンサ感度が通常設定の状態であると判定した場合は、ステップＳ８０４以降の、アスペクト比が１６：９の時と同様の処理を行う。
【００４１】
アスペクト比が１６：９と４：３のどちらの場合であっても、ステップＳ８０４にて傾きが所定値α未満であると判定するとステップＳ８０７へ進み、ガイド表示ＯＦＦの設定を行う。そして、次のステップＳ８０６にて、ガイド表示設定部１１２に表示ＯＦＦの指示を行い、表示装置１０６上のガイド表示をＯＦＦにする。
【００４２】
以上の実施例３によれば、アスペクト比を１６：９に設定された場合には、４：３時に比べてゲイン可変アンプ７０１のゲインを高くすることにより、上記実施例２と同じ結果が得られ、撮影結果の傾きが目立つ１６：９時で撮影しようとした時に、ビデオカメラの傾きをよりわかりやすく撮影者に知らせることができる。
【００４３】
さらに、微妙な傾きに対するビデオカメラの傾き変位量がはっきりとわかるようになる為、水平状態を容易にあわせることができるようになる。
【実施例４】
【００４４】
図１１は本発明の実施例４に係わるカメラ制御マイコン内の、傾きに相応するガイド表示に関する動作を示すフローチャートである。
【００４５】
本発明の実施例４は、上記実施例１と実施例２を組み合わせた例を示すものであり、デジタルカメラの回路構成は図１と同じである。本実施例４においては、１６：９時と４：３時とにおいて、ガイド表示を行うビデオカメラの傾きを変更し、かつ、１６：９時は表示角度を大きくして、傾きを誇張した表示を行うようにしたものである。
【００４６】
以下、図１１のフローチャートに従って、本発明の実施例４におけるガイド表示に関する動作について説明する。
【００４７】
まず、ステップＳ１１０１にて、アンプ１０８を介して傾きセンサ１０７から傾き情報を取り込む。そして、次のステップＳ１１０２にて、現在の撮影画角が１６：９か４：３かの判定を行う。１６：９である場合はステップＳ１１０３へ進み、取り込んだ傾き情報から現在のビデオカメラの傾きが所定値β以上かどうかの判定を行う。傾きが所定値β以上であればステップＳ１１０４へ進み、ガイド表示をＯＮとし、さらに表示角度を大きくする処理を行う。そして、次のステップＳ１１０５にて、ガイド表示設定部１１２に対して表示情報の指示を行い、表示装置１０６にガイド表示を表示させる。
【００４８】
上記ステップＳ１１０２にてアスペクト比が４：３と判定した場合はステップＳ１１０６へ進み、取り込んだ傾き情報が所定値α以上かどうかの判定を行う。傾きが所定値α以上の場合ステップＳ１１０７へ進み、ガイド表示をＯＮとする設定を行い、表示角度は通常状態にする処理を行う。その後は１６：９時と同様、ステップＳ１１０５にて、ガイド表示設定部１１２に対して表示情報の指示を行い、表示装置１０６にガイド表示を表示させる。
【００４９】
アスペクト比が１６：９で、ステップＳ１１０３にて傾きが所定値β未満であると判定した場合、あるいは、４：３であって、ステップＳ１１０６にて傾きが所定値α未満であると判定した場合は、ビデオカメラはほぼ水平状態になっている。よって、いずれの場合もステップＳ１１０８へ進み、ガイド表示ＯＦＦの設定を行い、次のステップＳ１１０５にて、ガイド表示設定部１１２に対して表示情報の指示を行い、表示装置１０６上のガイド表示をＯＦＦにする。
【００５０】
ここで、所定値αとβの関係は、
α＞表示角度倍率×β
となるように設定している。すなわち、上記図５において、傾きが発生した場合に１６：９にて表示されるガイド表示Ａ−Ｂ間の縦方向の幅Ｘは、表示角度倍率を含めた幅となる。よって、ガイド表示がＯＮとなる傾きは、４：３に比べて１６：９の方が常に小さく、カメラの傾きが大きくなるに応じて、１６：９時のガイド表示が誇張されるようになる。
【００５１】
以上の実施例４によれば、傾きの目立ちやすくなるアスペクト比が１６：９の時に、少ない傾きにおいてガイド表示が行われる。このために、撮影者にカメラの傾きをいち早く知らせることができると共に、傾きが大きい時は実際の傾きよりも誇張された表示が為されるために、カメラの傾きがより明確となる。
【００５２】
さらに、微小な動きに対する傾きの変化もわかりやすくなるため、水平状態がより合わせやすくなると共に、水平の精度を向上させることが可能となる。
【００５３】
上記の実施例１ないし４においては、ビデオカメラの傾きに対してガイド表示を行う傾きを、アスペクト比に応じて変更するようにしている。よって、傾きが目立ちやすい横長の画面であっても、撮影者にカメラの傾きが目立たないように促すことが可能となり、見苦しくない画像を使用者に与えることができる。
【００５４】
（変形例）
アスペクト比の変更は、１６：９と４：３との切り換えのみであったが、これに限定されず、シネマスコープサイズなど、アスペクト比が変わるすべての画像サイズに対して適用できる。
【００５５】
また、上記の各実施例では、すべてビデオカメラを例にして説明したが、静止画及び動画を記録可能なビデオカメラやデジタルカメラ等、ビューファインダーや液晶パネル等の表示装置を有した撮像装置に広く適用できるものである。
【図面の簡単な説明】
【００５６】
【図１】本発明の実施例１に係わるビデオカメラの回路構成を示すブロック図である。
【図２】本発明の実施例１に係わるビデオカメラの傾きガイド表示動作を示すフローチャートである。
【図３】本発明の実施例１において傾きセンサとその出力特性を示した図である。
【図４】本発明の実施例１において傾きガイド表示を表示する範囲を示した図である。
【図５】本発明の実施例１においてアスペクト比が１６：９と４：３での表示スレッシュの決定の仕方を説明するための図である。
【図６】本発明の実施例２に係わるビデオカメラの傾きガイド表示動作を示すフローチャートである。
【図７】本発明の実施例２においてアスペクト比が１６：９と４：３でのガイド表示について説明するための図である。
【図８】本発明の実施例３に係わるビデオカメラの傾きガイド表示部分の回路構成を示すブロック図である。
【図９】本発明の実施例３に係わるビデオカメラの傾きガイド表示動作を示すフローチャートである。
【図１０】図８のゲイン可変アンプの詳細な回路構成を示す回路図である。
【図１１】本発明の実施例４に係わるビデオカメラの傾きガイド表示動作を示すフローチャートである。
【符号の説明】
【００５７】
１０１  レンズユニット
１０４  カメラ信号処理部
１０５  表示処理部
１０６  表示部
１０７  傾きセンサ
１０９  カメラ制御マイコン
１１２  ガイド表示設定部
１１３  アスペクト比切換スイッチ
７０１  ゲイン可変アンプ
７０３  ゲイン変更制御部
【図１】
0004641485.tif 000002
【図２】
0004641485.tif 000003
【図３】
0004641485.tif 000004
【図４】
0004641485.tif 000005
【図５】
0004641485.tif 000006
【図６】
0004641485.tif 000007
【図７】
0004641485.tif 000008
【図８】
0004641485.tif 000009
【図９】
0004641485.tif 000010
【図１０】
0004641485.tif 000011
【図１１】
0004641485.tif 000012